(57)【要約】【課題】操作者の意図に沿った撮影順序での効率的な撮影を可能にする。【解決手段】制御装置であって、撮影制御画面に撮影順に並べて表示された複数の撮影検査情報の並び順を、ユーザ操作に基づいて変更する変更部と、変更部により変更された並び順に基づいて、撮影対象となる撮影検査情報に関連する放射線検出器又は放射線発生部の少なくとも一方を制御する制御部とを備える。【選択図】  図４
2015084938.tif 000002
【特許請求の範囲】
【請求項１】
撮影制御画面に撮影順に並べて表示された複数の撮影検査情報の並び順を、ユーザ操作に基づいて変更する変更手段と、
前記変更手段により変更された並び順に基づいて、撮影対象となる撮影検査情報に関連する放射線検出器又は放射線発生部の少なくとも一方を制御する制御手段と
を備えることを特徴とする制御装置。
【請求項２】
前記制御手段は、前記変更手段による並び順の変更により、前記撮影対象となる先頭の並び順になった撮影検査情報に関連する放射線検出器又は放射線発生部の少なくとも一方を制御することを特徴とする請求項１に記載の制御装置。
【請求項３】
前記制御手段は、前記撮影対象となる撮影検査情報に関連する放射線検出器又は放射線発生部の少なくとも一方へ、前記撮影検査情報に基づく制御信号を送信することを特徴とする請求項１又は２に記載の制御装置。
【請求項４】
前記制御信号に対応する応答信号の受信に基づいて、撮影準備状態を示す表示から撮影準備完了状態を示す表示への変更を行う表示制御手段をさらに備えることを特徴とする請求項３に記載の制御装置。
【請求項５】
前記表示制御手段は、前記撮影準備完了状態を示す表示を、前記撮影準備状態を示す表示とは異なる表示形態で表示させることを特徴とする請求項４に記載の制御装置。
【請求項６】
前記撮影対象となる撮影検査情報を他の撮影検査情報とは異なる表示形態で表示させる表示制御手段をさらに備えることを特徴とする請求項１乃至３の何れか１項に記載の制御装置。
【請求項７】
前記ユーザ操作が前記撮影制御画面上で前記撮影検査情報をドラッグするドラッグ操作である場合、
前記変更手段は、前記ドラッグ操作に基づいて撮影検査情報の移動先を特定することを特徴とする請求項１乃至６の何れか１項に記載の制御装置。
【請求項８】
前記ユーザ操作が前記撮影検査情報をドラッグアンドドロップする操作である場合、
前記変更手段は、前記ドラッグアンドドロップする操作に基づいて撮影検査情報の移動先を特定することを特徴とする請求項１乃至６の何れか１項に記載の制御装置。
【請求項９】
前記変更手段は、前記特定された移動先に応じて撮影検査情報の表示順序を示す番号を設定することを特徴とする請求項７又は８に記載の制御装置。
【請求項１０】
前記ユーザ操作が前記撮影制御画面上で前記撮影検査情報をドラッグするドラッグ操作である場合、前記ドラッグ操作に応じて、前記撮影検査情報に対応する画像を前記撮影制御画面上で移動させて表示する表示制御手段をさらに備えることを特徴とする請求項１乃至３の何れか１項に記載の制御装置。
【請求項１１】
前記撮影検査情報は、撮影体位、撮影部位、撮影方向、撮影に使用する放射線検出器又は放射線発生部の種類を含むことを特徴とする請求項１乃至１０の何れか１項に記載の制御装置。
【請求項１２】
撮影制御画面に並べて表示された複数の撮影検査情報の並び順を、撮影検査情報に含まれる各項目について設定された優先順位に基づいて変更する変更手段と、
前記変更手段により変更された並び順に基づいて、撮影対象となる撮影検査情報に関連する放射線検出器又は放射線発生部の少なくとも一方を制御する制御手段と
を備えることを特徴とする制御装置。
【請求項１３】
撮影制御画面に並べて表示された複数の撮影検査情報の並び順を、過去の検査で使用された撮影検査情報の並び順に基づいて変更する変更手段と、
前記変更手段により変更された並び順に基づいて、撮影対象となる撮影検査情報に関連する放射線検出器又は放射線発生部の少なくとも一方を制御する制御手段と
を備えることを特徴とする制御装置。
【請求項１４】
制御装置の動作方法であって、
変更手段が、撮影制御画面に撮影順に並べて表示された複数の撮影検査情報の並び順を、ユーザ操作に基づいて変更する工程と、
制御手段が、前記変更された並び順に基づいて、撮影対象となる撮影検査情報に関連する放射線検出器又は放射線発生部の少なくとも一方を制御する工程と
を有することを特徴とする動作方法。
【請求項１５】
制御装置の動作方法であって、
変更手段が、撮影制御画面に並べて表示された複数の撮影検査情報の並び順を、撮影検査情報に含まれる各項目について設定された優先順位に基づいて変更する工程と、
制御手段が、前記変更された並び順に基づいて、撮影対象となる撮影検査情報に関連する放射線検出器又は放射線発生部の少なくとも一方を制御する工程と
を有することを特徴とする動作方法。
【請求項１６】
制御装置の動作方法であって、
変更手段が、撮影制御画面に並べて表示された複数の撮影検査情報の並び順を、過去の検査で使用された撮影検査情報の並び順に基づいて変更すると、
制御手段が、前記変更された並び順に基づいて、撮影対象となる撮影検査情報に関連する放射線検出器又は放射線発生部の少なくとも一方を制御する工程と
を有することを特徴とする動作方法。
【請求項１７】
請求項１４乃至１６の何れか１項に記載の制御装置の動作方法の各工程をコンピュータに実行させるためのプログラム。
【発明の詳細な説明】
【技術分野】
【０００１】
本発明は、制御装置、制御装置の動作方法およびプログラムに関し、特に放射線検出器や放射線発生部の動作を制御する技術に関する。
【背景技術】
【０００２】
従来、医療分野における放射線画像（特に、Ｘ線を使用したＸ線画像）の撮影では、被写体に放射線を照射し、透過した放射線の強度を放射線検出器で検出することにより、放射画像の撮影を行っている。また、一般に病院内ではネットワークが構築されており、ネットワークに各種の医療装置が接続され、病院情報システム（HIS）、放射線情報システム（RIS）、医療用画像サーバ等と連携している。
【０００３】
病院内で放射線撮影装置が使用される場合、通常、医師から放射線撮影装置を操作する検査技師に対して、被検者の検査部位等を指定する検査オーダーが送られる。検査オーダーには、検査に必要な被検者の撮影体位、撮影部位、撮影方向等の異なる組み合わせを含む撮影検査情報が含まれている。検査オーダーは、検査技師（操作者）により手動で放射線撮影装置に直接入力されたり、あるいは、HISやRIS等のネットワークを介して放射線撮影装置に自動的に検査オーダーが入力されたりする。
【０００４】
例えば、ある患者に対して「１．立位胸部正面」、「２．臥位胸部正面」、「３．立位胸部側面」、「４．臥位胸部側面」という順序で撮影する検査オーダーがHISを介して入力されたとする。検査オーダーを入力する医師は、通常、放射線画像を読影しようとする順序で検査オーダーを入力するため、検査技師が行う撮影が容易な順序とは異なることがある。医師が入力した検査オーダーの順序に従って放射線撮影を実施すると、撮影の度に患者に体位変更を強いることとなり、患者への負担が大きくなることがある。
【０００５】
これに対して、特許文献１では、撮影前に予め所定の変換テーブルに基づいて撮影順序を変更する検査システムが開示されている。
【先行技術文献】
【特許文献】
【０００６】
【特許文献１】特開２０００−１６６９０８号公報
【発明の概要】
【発明が解決しようとする課題】
【０００７】
しかしながら撮影が行われる現場の状況、例えば検査技師や撮影環境、患者の身体状態等によって適切な撮影順序が異なる場合がある。このような場合に、各検査技師が状況に応じて一旦撮影を中断し、撮影前の画面に戻って撮影順序を変更するのは検査技師の手間が大きくなり撮影効率が低下してしまう。
【０００８】
さらに、撮影順序の変更によって、次に撮影する撮影検査情報が変更されると、それに従って放射線検出器や放射線発生装置を制御する必要が生じるが、手動での操作に手間がかかるだけでなく、不要な操作を行ってしまうこともあり、撮影効率が低下するという課題がある。
【０００９】
上記の課題に鑑み、本発明は、操作者の意図に沿った撮影順序での効率的な撮影を可能にすることを目的とする。
【課題を解決するための手段】
【００１０】
上記の目的を達成する本発明に係る制御装置は、
撮影制御画面に撮影順に並べて表示された複数の撮影検査情報の並び順を、ユーザ操作に基づいて変更する変更手段と、
前記変更手段により変更された並び順に基づいて、撮影対象となる撮影検査情報に関連する放射線検出器又は放射線発生部の少なくとも一方を制御する制御手段と
を備えることを特徴とする。
【発明の効果】
【００１１】
本発明によれば、操作者の意図に沿った撮影順序での効率的な撮影が可能になる。
【図面の簡単な説明】
【００１２】
【図１】本発明の一実施形態に係る放射線撮影システムの概略構成を示す図。
【図２】（ａ）本発明の一実施形態に係る制御装置のハードウェア構成の一例を示す模式図、（ｂ）本発明の一実施形態に係る制御装置のソフトウェア構成を示す機能ブロック図、（ｃ）本発明の一実施形態に係る放射線検出器の構成の一例を示す模式図。
【図３Ａ】本発明の一実施形態に係る撮影画面の一例を示す図。
【図３Ｂ】本発明の一実施形態に係る撮影画面上でドラッグアンドドロップ操作により表示順序を変更する様子の一例を示す図。
【図４】本発明の一実施形態に係る制御装置がドラッグアンドドロップ操作により表示順序を変更する処理の手順を示すフローチャート。
【図５】本発明の一実施形態に係る、マウスカーソルによって撮影検査情報をドラッグ操作する様子を示した図。
【図６】本発明の一実施形態に係る制御装置が撮影検査情報の表示順序を変更する処理の手順を示すフローチャート。
【図７】本発明の一実施形態に係る、マウスカーソルによって撮影検査情報をドラッグ操作して撮影検査情報の順序を並び替える様子を示した図。
【図８】本発明の一実施形態に係る制御装置が、ドラッグ操作を行い且つドロップ操作を行う前に撮影検査情報の表示順序を変更する処理の手順を示すフローチャート。
【図９】本発明の第２実施形態に係る制御装置が予め設定された優先順位項目に応じて撮影検査情報の表示順序を変更する処理の手順を示すフローチャート。
【図１０】本発明の第２実施形態に係る優先順位項目に従った撮影検査情報の表示順序の一例を示す図。
【図１１】本発明の第３実施形態に係る制御装置が過去の検査オーダーに基づいて撮影検査情報の表示順序を変更する処理の手順を示すフローチャート。
【発明を実施するための形態】
【００１３】
以下、添付の図面を参照しながら、本発明の実施の形態について説明する。
【００１４】
（第１実施形態）
＜１．放射線撮影システムの概略構成＞
図１は、本発明の一実施形態に係る放射線撮影システム１００の概略構成の一例を示す模式図である。放射線撮影システム１００は、制御装置１１０と、放射線発生部１１４Ａ、１１４Ｂと、放射線検出器１１５Ａ、１１５Ｂと、放射線部門内情報システム（ＲＩＳ）１３０と、画像サーバ（ＰＡＣＳ）１４０と、院内情報システム（ＨＩＳ）１５０とを備えている。
【００１５】
制御装置１１０は、表示部１１２、操作部１１３、放射線発生部１１４Ａ、１１４Ｂ、および放射線検出器１１５Ａ、１１５Ｂと、有線または無線で接続されており、各機器の動作を制御する。また制御装置１１０は、放射線部門内情報システム（ＲＩＳ）１３０、画像サーバ（ＰＡＣＳ）１４０、院内情報システム（ＨＩＳ）１５０とネットワーク１２０を介して接続されており、放射線画像や患者情報等をやり取りすることができる。
【００１６】
表示部１１２は、撮影検査情報、撮影された放射線画像、各種の情報等を表示する。操作部１１３は、操作者からの入力情報を受け付ける。本実施形態では、表示部１１２はモニタ、操作部１１３はキーボードやマウスである。
【００１７】
放射線発生部１１４Ａ、１１４Ｂは、放射線を発生させる放射線管を具備しており、被写体である患者１０００Ａ、１０００Ｂに対して放射線を照射する。患者１０００Ａは立位、１０００Ｂは仰臥位であり、放射線発生部１１４Ａ、１１４Ｂ、放射線検出器１１５Ａ、１１５Ｂが撮影に適した位置へ配置されている。
【００１８】
放射線検出器１１５Ａ、１１５Ｂは、それぞれ放射線発生部１１４Ａ、１１４Ｂから照射された放射線を検出する。制御装置１１０は、放射線検出器１１５Ａ、１１５Ｂで検出されて取得された放射線画像データに対して画像処理を施して、放射線画像として表示部１１２に表示する。
【００１９】
なお本実施形態に係る放射線撮影システム１００は、放射線部門内情報システム（ＲＩＳ）１３０と、画像サーバ（ＰＡＣＳ）１４０と、院内情報システム（ＨＩＳ）１５０とを含むものとして説明を行うが、これらの少なくとも一部を含まない構成にしてもよい。
【００２０】
また、図１の例では、放射線発生部および放射線検出器として、放射線発生部１１４Ａ、１１４Ｂ、放射線検出器１１５Ａ、１１５Ｂについて説明したが、さらなる放射線発生部および放射線検出器の組み合わせが放射線撮影システム１００に含まれていてもよい。
【００２１】
＜２．制御装置の構成＞
次に、本実施形態に係る制御装置１１０の構成例について説明する。まず図２（ａ）は、制御装置１１０のハードウェア構成の一例を示す模式図である。制御装置１１０は、ＣＰＵ２０１と、ＲＡＭ２０２と、ＲＯＭ２０３と、外部メモリ２０４と、通信Ｉ／Ｆ部２０５とを備えており、バスを介して相互に接続されている。
【００２２】
ＣＰＵ２０１は、制御装置１１０の動作を統括的に制御するものであり、図２（ａ）に示す各構成部（ＲＡＭ２０２〜通信Ｉ／Ｆ部２０５）を、バスを介して制御する。
【００２３】
ＲＡＭ２０２は、ＣＰＵ２０１の主メモリ、ワークエリア等として機能する。ＣＰＵ２０１は、処理の実行に際して、ＲＯＭ２０３から必要なプログラム２０３１等をＲＡＭ２０２にロードし、当該プログラム２０３１等を実行することで各種の機能動作を実現する。  ＲＯＭ２０３には、ＣＰＵ２０１が処理を実行するために必要なプログラム２０３１等が記憶されている。なお、プログラム２０３１は、外部メモリ２０４に記憶されていてもよい。
【００２４】
外部メモリ２０４には、例えば、ＣＰＵ２０１がプログラム２０３１等を用いた処理を行う際に必要な各種のデータや各種の情報等が記憶されている。また、外部メモリ２０４には、例えば、ＣＰＵ２０１がプログラム２０３１等を用いた処理を行うことにより得られた各種のデータや各種の情報等が記憶される。通信Ｉ／Ｆ部２０５は、外部との通信を司るものである。バスは、ＣＰＵ２０１と、ＲＡＭ２０２、ＲＯＭ２０３、外部メモリ２０４及び通信Ｉ／Ｆ部２０５を通信可能に接続するためのものである。
【００２５】
また、図２（ｂ）は、本実施形態に係る制御装置１１０のソフトウェア構成を示す機能ブロック図である。制御装置１１０は、操作検出部２１１と、順序変更部２１２と、検出器制御部２１３と、発生制御部２１４と、表示制御部２１５と、制御部２１６とを備えている。各機能は、ＣＰＵ２０１がＲＯＭ２０３に格納されたプログラムをＲＡＭ２０２に展開して実行することで実現される。
【００２６】
操作検出部２１１は、操作部１１３を介したユーザ操作を検出する。順序変更部２１２は、操作検出部２１１により検出されたユーザ操作に基づいて、表示部１１２の撮影制御画面に撮影順に並べて表示された複数の撮影検査情報の並び順を変更する。撮影検査情報は、撮影体位（立位、我臥位等）、撮影部位（胸部、腹部等）、撮影方向（正面、側面等）、撮影に使用する放射線検出器の種類（放射線検出器１１５Ａ、１１５Ｂ等）、撮影に使用する放射線発生部の種類（放射線発生部１１４Ａ、１１４Ｂ等）等の少なくとも何れかを含む。
【００２７】
検出器制御部２１３は、順序変更部２１２により変更された撮影検査情報の並び順に基づいて、放射線検出器１１５Ａまたは１１５Ｂの動作を制御する。例えば、検出器制御部２１３は、撮影検査情報の並び順の変更に応じて、撮影対象となる先頭の撮影検査情報に関連する放射線検出器１１５Ａ、１１５Ｂに対して制御信号を有線または無線で送信する。ただし、撮影対象となる撮影検査情報は必ずしも先頭の撮影検査情報に限定されるものではない。当該制御信号は、撮影対象である撮影検査情報の内容に応じた動作を指示するための信号である。例えば、撮影検査情報が放射線検出器１１５Ｂの使用を示す場合には、検出器制御部２１３は放射線検出器１１５Ｂを制御対象とする。また、撮影検査情報が腹部を撮影対象とすることを示す場合には、放射線の蓄積時間をその他の部位を撮影対象とする場合の３倍の蓄積時間で動作させる指示を含む制御信号を送信する。また、撮影検査情報が、照射領域を絞ることを示す場合には、照射領域以外の画素、アンプ、ＡＤ変換器等を動作させない指示を含む制御信号を送信する。このようにして、ユーザ操作に基づいて並び順が変更された撮影検査情報に応じた放射線検出器の制御が、検出器制御部２１３によって実行される。また、制御信号に応じた放射線検出器の動作が完了したら、撮影準備が完了したことを示す応答信号を受信する。また、検出器制御部２１３は放射線検出器１１５Ａまたは１１５Ｂにより撮影されて取得された放射線画像データを取得する。
【００２８】
発生制御部２１４は、順序変更部２１２により並び順が変更された撮影検査情報に基づいて、放射線発生部１１４Ａまたは１１４Ｂの動作を制御する。発生制御部２１４は、撮影検査情報の並び順の変更に応じて、撮影対象となる先頭の撮影検査情報に関連する放射線発生部１１４Ａまたは１１４Ｂに対して制御信号を有線または無線で送信する。当該制御信号は、撮影対象である撮影検査情報に応じた動作を指示するための信号である。例えば、撮影検査情報が放射線発生部１１４Ｂの使用を示す場合には、発生制御部２１４は放射線発生部１１４Ｂを制御対象とする。また、撮影検査情報に含まれる撮影対象部位に基づいて放射線の照射時間を制御してもよい。また、制御信号に応じた放射線発生部の動作が完了したら、撮影準備が完了したことを示す応答信号を受信する。
【００２９】
なお、撮影検査情報の内容次第では、すでに放射線検出器の制御は必要なく、放射線発生部のみ制御すればよい場合があり、その逆の場合もありうる。このような場合には放射線検出器または放射線発生部の一方のみに制御信号を送信するようにしてもよい。
【００３０】
表示制御部２１５は、撮影検査情報を並べて表示部１１２に表示したり、撮影された放射線画像を表示部１１２に表示したり、操作検出部２１１が検出した操作部１１３を介したユーザ操作に対応した表示を表示部１１２に表示する。制御部２１６は、各処理部の動作を制御するとともに、各種の判定や設定を行う。
【００３１】
ここで上述の各機能ブロックはあくまでも一例であり、制御装置１１０は、上述の各機能ブロックの一部を含まない構成としてもよく、さらなる機能ブロックを含む構成としてもよい。
【００３２】
＜３．放射線検出器の構成＞
次に、本実施形態に係る放射線検出器１１５Ａ、１１５Ｂの構成例について説明する。図２（ｃ）は、放射線検出器１１５Ａ、１１５Ｂの構成の一例を示す模式図である。
【００３３】
放射線検出器１１５Ａ、１１５Ｂは、制御部２５１と、検知回路２５２と、駆動回路２５３と、読み出し回路２５４と、通信回路２５５と、電源２５６とを備えている。制御部２５１は、各部を統合的に制御する。検知回路２５２は、放射線センサの出力を監視して放射線の照射を検知する。駆動回路２５３は、放射線センサを蓄積状態または読み出し状態で駆動させる。例えば、検知回路２５２での放射線照射の検知に基づいて、制御部２５１が駆動回路２５３に対して蓄積状態を開始させる指示を行い、駆動回路２５３は当該指示に基づいて放射線センサを読み出し状態で駆動させる。
【００３４】
読み出し回路２５４は、駆動回路２５３により読み出された信号を増幅してＡＤ変換し、放射線画像データを出力する。通信回路２５５は、読み出し回路２５４から出力された放射線画像データの送信や、制御装置１１０からの制御信号の受信を行う。電源２５６は、各構成要素に電力を供給する。放射線検出器１１５Ａ、１１５Ｂは、制御装置１１０から受信した制御信号にしたがって動作を制御する。
【００３５】
＜４．撮影制御画面の一例＞
図３Ａは、本実施形態に係る表示部１１２に表示される撮影制御画面３０１の一例を示す。撮影制御画面３０１は、画像表示領域３０２、ステータス表示領域３０３、シングルビュー指示領域３０４、マルチビュー指示領域３０５、フレームビュー指示領域３０６、患者情報表示領域３０７、検査表示領域３０８、検査オーダー表示領域３０９、撮影検査情報３１０、撮影検査実施順序繰り上げ指示領域３１１、撮影検査実施順序繰り下げ指示領域３１２、検査編集指示領域３１３、画像処理指示領域３１４、計測指示領域３１５、アノテーション編集指示領域３１６、検査保留指示領域３１７、画像出力指示領域３１８、検査終了指示領域３１９、表示アノテーション表示切り替え指示領域３２０、右回転指示領域３２１、左回転指示領域３２２、左右反転指示領域３２３、上下反転指示領域３２４、白黒反転指示領域３２５、Ｌマーク配置指示領域３２６、Ｒマーク配置指示領域３２７、切り出し設定指示領域３２８、マスク処理指示領域３２９、再撮影指示領域３３０、写損指示領域３３１、Undo指示領域３３２、リセット指示領域３３３を有している。
【００３６】
画像表示領域３０２は、撮影した放射線画像をプレビュー表示する。撮影後にプレビュー選択を切り替えた場合はプレビュー選択された放射線画像がプレビュー表示される。また、設定に応じて患者情報、検査情報、照射条件などがアノテーション表示される。なお、検査開始直後の初期状態では、画像は表示されない。
【００３７】
ステータス表示領域３０３は、制御装置１１０や放射線検出器１１５Ａ、１１５Ｂから通知されたステータスを操作者が判別し易いように、色や文字を区別して表示する領域である。放射線検出器１１５Ａ、１１５Ｂからステータス通知を受信した制御装置１１０は、ステータスの組み合わせによって表示内容を判定し、表示部１１２へステータス表示切り替え指示を送信する。例えば、放射線発生部１１４Ａ、１１４Ｂが放射線照射不可である場合あるいは放射線検出器１１５Ａ、１１５Ｂが放射線検出不可能である場合は、センサステータス上に「Not Ready（撮影準備状態を示す表示）」を表示する。また、放射線発生部１１４Ａ、１１４Ｂが放射線照射可能であり且つ放射線検出器１１５Ａ、１１５Ｂが放射線検出可能である場合は、センサステータス上に「Ready（撮影準備完了状態を示す表示）」を表示し、背景色を「Not Ready」表示時と容易に区別可能な色に変更する。なお、本実施形態では放射線検出器１１５Ａと放射線発生部１１４Ａとがペアであり、放射線検出器１１５Ｂと放射線発生部１１４Ｂとがペアである。そのため、現在の検査で使用する対象となる放射線検出器と放射線発生部との組み合わせについて、センサステータスを表示することになる。放射線検出器及び／又は放射線発生部から撮影準備が完了したことを示す応答信号を受信したことに応じて「Not Ready」を「Ready」に変更する。
【００３８】
シングルビュー指示領域３０４は、画像表示領域３０２にプレビュー選択されている画像の１フレームを表示するシングルビューへ切り替えるボタンである。複数フレームの画像の場合、プレビュー表示中にキーボードやマウス操作によって別フレームの表示や動画再生も可能である。
【００３９】
マルチビュー指示領域３０５は、画像表示領域３０２を格子状の複数表示領域に区切り、実施中の検査内で撮影された画像群を並列表示するマルチビューへ切り替えるボタンである。実施中の検査内で２つ以上の画像が撮影されるまではボタンは無効となり、マルチビュー不可能となる。
【００４０】
フレームビュー指示領域３０６は、画像表示領域３０２を格子状の複数表示領域に区切り、プレビュー選択されている動画のフレーム画像群を並列表示するフレームビューへ切り替えるボタンである。プレビュー選択されている画像が動画像でない場合、ボタンは無効となり、フレームビュー不可能となる。
【００４１】
患者情報表示領域３０７は、患者名、患者ＩＤ、生年月日、年齢、性別といった患者情報が表示される領域である。検査表示領域３０８は、一つまたは複数の検査オーダー表示領域３０９ａ、３０９ｂ...を表示している。検査オーダー表示領域３０９ａ、３０９ｂとは、検査ＩＤや検査記述といった検査情報が表示される領域である。また、検査で選択されている撮影検査情報が撮影検査情報３１０ａ、３１０ｂ、３１０ｃ等に並べて表示される。
【００４２】
撮影検査情報３１０には、撮影検査名称、放射線検出器の種別等の撮影検査情報と、実施した全ての撮影画像サムネイル３３４が表示されている。また、撮影検査情報３１０には、撮影実施前の場合は撮影予定サムネイル、撮影実施後の場合は撮影画像サムネイルも含まれてもよい。
【００４３】
撮影検査実施順序繰り上げ指示領域３１１は、撮影検査の実施予定順序の繰り上げを指示するボタンである。例えば、撮影検査情報３１０ｂを選択した状態で撮影検査実施順序繰り上げ指示領域３１１を押下すると、選択中の撮影検査情報３１０ｂが同一検査内の１つ上の撮影検査情報３１０ａと入れ替わって繰り上がる。ただし、同一検査内で先頭の撮影検査情報３１０ａが選択されている場合は繰り上がらない。
【００４４】
撮影検査実施順序繰り下げ指示領域３１２は、撮影検査の実施予定順序の繰り下げを指示するボタンである。例えば、撮影検査情報３１０ａを選択した状態で撮影検査実施順序繰り下げ指示領域３１２を押下すると、選択中の撮影検査情報３１０ａが同一検査内の１つ下の撮影検査情報３１０ｂと入れ替わって繰り下がる。ただし、同一検査内で最後尾の撮影検査情報３１０ｂが選択されている場合は繰り下がらない。
【００４５】
検査編集指示領域３１３は、検査編集を指示するボタンである。画像処理指示領域３１４は、画像処理操作領域の表示・非表示の切り替えを指示するボタンである。計測指示領域３１５は、計測操作領域の表示・非表示の切り替えを指示するボタンである。アノテーション編集指示領域３１６は、アノテーションの編集を指示するボタンである。検査保留指示領域３１７は、実施中の検査の保留を指示するボタンである。画像出力指示領域３１８は、実施中の検査に含まれる撮影画像の画像出力を指示するボタンである。検査終了指示領域３１９は、実施中の検査の終了を指示するボタンである。
【００４６】
右回転指示領域３２１は、プレビュー表示中の撮影画像を右回転させるボタンである。左回転指示領域３２２は、プレビュー表示中の撮影画像を左回転させるボタンである。左右反転指示領域３２３は、プレビュー表示中の撮影画像を左右反転させるボタンである。上下反転指示領域３２４は、プレビュー表示中の撮影画像を上下反転させるボタンである。白黒反転指示領域３２５は、プレビュー表示中の撮影画像のWindow値を反転させるボタンである。
【００４７】
Ｌマーク配置指示領域３２６は、プレビュー表示中の撮影画像上に側マーカー「Ｌ」を配置させるボタンである。ボタンはON/OFF切り替え可能であり、ONで「Ｌ」を配置し、OFFで「Ｌ」を削除する。Ｒマーク配置指示領域３２７は、プレビュー表示中の撮影画像上にマーカー「Ｒ」を配置させるボタンである。ボタンはON/OFF切り替え可能であり、ONで「Ｒ」を配置し、OFFで「Ｒ」を削除する。切り出し設定指示領域３２８は、プレビュー表示中の撮影画像に対する関心領域の切り出し設定を指示するボタンである。マスク処理指示領域３２９は、プレビュー表示中の撮影画像に対するマスク処理を指示するボタンである。
【００４８】
再撮影指示領域３３０は、プレビュー選択中の画像を含む撮影検査に対して再撮影を指示するボタンである。ここで示す再撮影とは、再撮影を指示された画像に対して写損処理を実施し、同一撮影検査を新規で追加する処理を指す。写損指示領域３３１は、プレビュー選択中の画像に対して写損を指示するボタンである。写損処理が実施されると、画像情報に含まれる写損設定がONに切り替えられる。Undo指示領域３３２は、プレビュー選択中の画像に対する処理の履歴を新しい順に戻すUndo処理を指示するボタンである。リセット指示領域３３３は、プレビュー選択中の画像に対する処理を全て破棄し、撮影直後の状態に戻すリセット処理を指示するボタンである。
【００４９】
ユーザは操作部１１３を介して各ボタンを選択指示することができる。あるいは表示部１１２がタッチパネルである場合、直接撮影制御画面３０１をタッチ操作することで各ボタンを選択指示してもよい。
【００５０】
＜５．検査表示領域の一例＞
次に、図３Ｂ（ａ）−（ｃ）は、図３Ａの検査表示領域３０８の詳細を示す模式図である。マウスカーソル３３５は、操作者のマウス（操作部１１３）の操作によって移動可能であり、任意の撮影検査情報３１０（例えば、図３Ｂ（ａ）の臥位胸部正面）をドラッグアンドドロップ操作することができる。操作検出部２１１は、ドラッグ操作をしたマウスカーソル３３５の位置を取得する。操作検出部２１１は、ドラッグ操作によるマウスカーソル３３５の移動距離と、ドラッグ操作が有効となる閾値とを比較して、ドラッグ操作が有効か否かを判定する。
【００５１】
図３Ｂ（ｂ）は、マウスカーソル３３５によって撮影検査情報３１０をドラッグ操作する様子を示した図である。順序変更部２１２は、ドラッグ操作中のマウスカーソル３３５の位置と撮影検査情報の中心位置３３６とに基づいて、撮影検査情報３１０の移動先３３７を特定する。表示制御部２１５は、マウスカーソル３３５や、特定された移動先３３７を表示部１１２に表示する。
【００５２】
そして図３Ｂ（ｃ）は、図３Ｂ（ｂ）の状態からドロップ操作をした後の様子を示した図である。操作検出部２１１は、ドロップ操作をしたマウスカーソル３３５の位置を取得する。操作検出部２１１は、ドロップ操作の位置からドロップ操作が有効か否か判定する。例えば、予めドロップ操作が有効な範囲（例えば、同一の検査オーダー表示領域内）を設定しておき、当該有効範囲に基づいて判定を行う。ドロップ操作が有効ならば、表示制御部２１５は、撮影検査情報３１０の表示順序を変更する。図３Ｂ（ｃ）の例では、検査ＩＤが０００１の各撮影検査情報のうち下から２番目に撮影検査情報３１０が移動する。
【００５３】
なお、図３Ｂ（ａ）−（ｃ）の例では撮影画像サムネイル３３４が撮影検査情報３１０の中に一体として表示しているが、図３Ｂ（ｄ）に示すように、撮影画像サムネイル３３４と撮影検査情報３１０とを分離して表示させてもよい。
【００５４】
＜６．表示順序変更処理＞
図４は、本実施形態に係る制御装置１１０が撮影検査情報３１０の表示順序を変更する処理の手順を示すフローチャートである。まず、ステップＳ４０１において、操作検出部２１１は、任意の撮影検査情報がドラッグされた信号を取得する。次に、ステップＳ４０２において、操作検出部２１１は、ドラッグ操作の移動距離を取得する。ステップＳ４０３において、制御部２１６は、当該移動距離と、ドラッグ操作が有効となる閾値とを比較して、ドラッグ操作が有効か否か判定する。移動距離が閾値以上であれば（Ｓ４０３；Ｙｅｓ）、ドラッグ操作が有効であると判定して、ステップＳ４０４へ進む。一方、移動距離が閾値未満であれば（Ｓ４０３；Ｎｏ）、ドラッグ操作が無効であると判定して、閾値以上になるまで待機する。
【００５５】
ステップＳ４０４において、制御部２１６は、検出器制御部２１３および発生制御部２１４が保持する情報に基づいて、撮影検査リストに撮影可能な状態の撮影検査が存在するか否かを判定する。撮影可能な状態の撮影検査が存在すると判定された場合（Ｓ４０４；Ｙｅｓ）、ステップＳ４０５へ進む。一方、撮影可能な状態の撮影検査が存在しないと判定された場合（Ｓ４０４；Ｎｏ）、ステップＳ４０６へ進む。
【００５６】
ステップＳ４０５において、制御部２１６は、該当する撮影検査を撮影不可の状態に設定する。次に、ステップＳ４０６において、操作検出部２１１は、ドラッグ操作中のマウスカーソル３３５の位置を取得する。
【００５７】
ステップＳ４０７において、制御部２１６は、マウスカーソル３３５の位置が検査オーダー表示領域（例えば、検査オーダー表示領域３０９ａ）上であるか否かを判定する。検査オーダー表示領域上であると判定された場合（Ｓ４０７；Ｙｅｓ）、ステップＳ４０８へ進む。一方、検査オーダー表示領域上ではないと判定された場合（Ｓ４０７；Ｎｏ）、ステップＳ４０６に戻る。
【００５８】
ステップＳ４０８において、制御部２１６は、マウスカーソル３３５の位置にある撮影検査の表示順番号を取得する。次に、ステップＳ４０９において、制御部２１６は、ステップＳ４０６で取得されたドラッグ操作中のマウスカーソル３３５の位置が、撮影検査情報の中心より上にあるか否か判定する。撮影検査情報の中心より上にあると判定された場合は（Ｓ４０９；Ｙｅｓ）、ステップＳ４１０へ進む。一方、撮影検査情報の中心より上ではないと判定された場合は（Ｓ４０９；Ｎｏ）、ステップＳ４１１へ進む。
【００５９】
ステップＳ４１０において、制御部２１６は、表示順序の変更先がマウスカーソル３３５の位置にある撮影検査情報の上であると特定する。ステップＳ４１１において、制御部２１６は、表示順序の変更先がマウスカーソル３３５の位置にある撮影検査情報の下であると特定する。
【００６０】
次に、ステップＳ４１２において、表示制御部２１５は、特定した表示順序の変更先に応じて、表示部１１２に変更先を表示する（例えば、移動先３３７を表示する）。
【００６１】
その後、ステップＳ４１３において、操作検出部２１１は、ドロップ操作の発生を検出する。ドロップ操作の発生が検出された場合は（Ｓ４１３；Ｙｅｓ）、ステップＳ４１４へ進む。一方、ドロップ操作の発生が検出されていない場合は（Ｓ４１３；Ｎｏ）、ステップＳ４０６に戻る。
【００６２】
ステップＳ４１４において、操作検出部２１１は、ドロップ操作をしたマウスカーソル３３５の位置を取得する。次に、ステップＳ４１５において、ドロップ操作が有効な表示領域の範囲内で行われたか否かを判定する。ドロップ操作が有効な表示領域で行われたと判定された場合は（Ｓ４１５；Ｙｅｓ）、ステップ４１６へ進む。一方、ドロップ操作が無効な表示領域で行われたと判定された場合は（Ｓ４１５；Ｎｏ）、ステップ４０１に戻る。
【００６３】
ステップＳ４１６において、順序変更部２１２は、撮影検査情報の表示順番号を更新して撮影検査情報の並び順を変更する。ドロップ操作が無効な表示領域であると判定された場合は、撮影検査情報の表示順序の変更は行わない。
【００６４】
撮影検査情報の表示順番号を更新した後、ステップＳ４１７において、制御部２１６は、表示順番号が最小の撮影検査情報を撮影可能状態に設定する。具体的には、検出器制御部２１３が、該当する撮影検査情報に対応する放射線検出器へ制御信号を送信し、放射線検出器を撮影検査情報の内容に応じた使用が可能な状態に制御する。また、発生制御部２１４は、撮影検査情報に対応する放射線検出器と対応付けられた放射線発生部へ制御信号を送信し、放射線発生部を撮影検査情報の内容に応じた使用が可能な状態に制御する。検出器制御部２１３および発生制御部２１４はそれぞれ、撮影可能な状態になったことを示す信号を放射線検出器および放射線発生部から受信する。表示制御部２１５は、撮影可能な状態になったことに応じて、ステータス表示領域３０３の表示を「Not Ready」から「Ready」へ変更し、背景色を「Not Ready」表示時と容易に区別可能な色に変更する。また、図３Ｂ（ｄ）に示すように、先頭の撮影順に該当する撮影検査情報を他の撮影検査情報と異なる表示形態で表示させて、先頭の撮影順であることを視認しやすく構成してもよい。以上で図４のフローチャートの各処理が終了する。
【００６５】
以上説明したように、本実施形態に係る制御装置（制御装置１１０）は、撮影制御画面（撮影制御画面３０１）に撮影順に並べて表示された複数の撮影検査情報（例えば撮影検査情報３１０等）からユーザ操作（例えばドラッグアンドドロップ操作）に基づいて撮影検査情報（例えば撮影検査情報３１０）の並び順を変更する。そして、並び順の変更後の撮影検査情報に基づいて、例えば撮影順序が先頭の撮影検査情報に対応する放射線検出器（例えば放射線検出器１１５Ａ（センサＡ））を制御して撮影可能状態に遷移させる。
【００６６】
これにより、撮影制御画面において、ユーザのドラッグアンドドロップ操作によって表示順序の変更が可能となり、表示順序の変更に応じて先頭の撮影順序の撮影検査情報が使用できるように自動的に設定することが可能となり、撮影効率および操作性を向上させることができる。
【００６７】
[変形例１]
変形例１では、ドラッグ操作中の撮影検査情報に対応する画像（ドラッグイメージ）をドラッグ操作に応じて移動させて表示し、表示順序の変更の様子を視覚的により容易に認識しやすいようにする例を説明する。放射線撮影システムや制御装置等の構成は第１実施形態で説明したものと同様である。
【００６８】
図５は、マウスカーソル３３５によって撮影検査情報３１０をドラッグ操作する様子を示した図である。ドラッグイメージ５０１は、表示制御部２１５により設定されたドラッグ中の対象を示す画像である。表示制御部２１５は、ドラッグイメージ５０１の画像を任意の画像（例えば、ドラッグ対象の撮影検査情報や枠線）に設定することや、画像の透過率を任意の数値に設定してもよい。また、制御部２１６は、表示順序の変更先の特定に必要な座標の位置をドラッグ操作中のマウスカーソル３３５の位置ではなく、ドラッグイメージ５０１の任意の位置として設定してもよい。
【００６９】
図６は、制御装置１１０が撮影検査情報３１０の表示順序を変更する処理の手順を示すフローチャートである。図４と同様の処理については同符号を付しており、説明を省略する。
【００７０】
ステップＳ４０３においてドラッグ操作が有効であると判定された場合、ステップＳ６０１へ進む。ステップＳ６０１において、表示制御部２１５が設定した画像をドラッグイメージ５０１として表示する。その後、ステップＳ４０４へ進む。
以上説明したように、変形例１では、ドラッグ中の対象を示すドラッグイメージを使用する。これにより、表示順序の変更を視覚的により容易に認識しやすくなるという効果がある。
【００７１】
[変形例２]
変形例２では、ドロップ操作を行う前に、表示されている撮影検査情報の順序を並び替える例を説明する。放射線撮影システムや制御装置等の構成は第１実施形態で説明したものと同様である。
【００７２】
ここで図７（ａ）−図７（ｄ）は、マウスカーソル３３５によって撮影検査情報３１０をドラッグ操作し、撮影検査情報の順序を並び替える様子を示した図である。
【００７３】
図７（ａ）は、マウスカーソル３３５によって撮影検査情報３１０をドラッグ操作する様子を示した図である。操作検出部２１１は、ドラッグ対象の撮影検査情報の前後または、どちらかの表示順番号の中心の位置を取得する。またドラッグ対象の撮影検査情報を外部メモリ２０４に保持する。制御部２１６は、取得した中心の位置から中心間範囲７０１を設定する。
【００７４】
図７（ｂ）は、ドラッグ対象の撮影検査情報３１０を非表示にする様子を示した図である。制御部２１６は、ドラッグ操作のマウスカーソル３３５の位置が、中心間範囲７０１の範囲外であるか否かを判定する。範囲外であると判定された場合、表示制御部２１５はドラッグ対象の撮影検査情報３１０を非表示にする。
【００７５】
図７（ｃ）は、撮影検査情報３１０の表示順序を変更する様子を示した図である。制御部２１６は、非表示になった撮影検査情報３１０から変更先の範囲にある撮影検査情報の表示順番号を設定し、ドラッグ操作中のマウスカーソル３３５の位置の前後の撮影検査情報の中心間範囲７０２を設定する。
【００７６】
図７（ｄ）は、図７（ｃ）の状態からドロップ操作した際の様子を示した図である。制御部２１６は、中心間範囲７０２の範囲内でドロップ操作が発生したか否かを判定する。その判定結果に応じて、制御部２１６は、外部メモリ２０４に保持していたドラッグ対象の撮影検査情報に表示順番号を設定する。
【００７７】
図８は、制御装置１１０がドラッグ操作を行い且つドロップ操作を行う前に撮影検査情報３１０の表示順序を変更する処理の手順を示すフローチャートである。図４、図６と同様の処理については同符号を付しており、説明を省略する。
【００７８】
ステップＳ４０３の処理の後、ステップＳ８０１において、制御部２１６は、外部メモリ２０４にドラッグ対象の撮影検査情報を記憶する。ステップＳ８０２において、操作検出部２１１は、ドラッグ対象の撮影検査情報の前後または、どちらかに表示されている撮影検査情報の中心の位置を取得する。また制御部２１６は、取得した中心の位置から中心間範囲を設定する。
【００７９】
ステップＳ８０３において、表示制御部２１５は、ドラッグ操作対象の撮影検査情報を非表示に設定する。その後、ステップＳ６０１以降の処理を行う。そして、ステップＳ４０６の処理の後、ステップＳ８０４において、制御部２１６は、ドラッグ操作中のマウスカーソル３３５の位置が中心間範囲外であるか否かを判定する。マウスカーソル３３５の位置が中心間範囲外であると判定された場合（Ｓ８０４；Ｙｅｓ）、ステップＳ４０７へ進む。一方、マウスカーソル３３５の位置が中心間範囲内であると判定された場合（Ｓ８０４；Ｎｏ）、ステップＳ４０６に戻る。
【００８０】
そして、ステップＳ４０７−Ｓ４１２の処理の後、ステップＳ８０５において、制御部２１６は、ドラッグ操作対象の撮影検査情報と特定した変更先の範囲にある撮影検査情報の表示順番号を取得する。ステップＳ８０６において、制御部２１６は、取得した撮影検査情報の表示順番号に基づいて表示順番号の更新を行う。ステップＳ８０７において、制御部２１６は、マウスカーソル３３５の位置の前後の撮影検査情報の中心間範囲を取得する。その後、ステップＳ４１３以降の処理を行う。
【００８１】
以上説明したように、変形例２では、ドラッグ操作によりマウスカーソルの位置を移動するだけで、自動的に表示順番号が更新される。これにより、表示順序がどのように変更されるかを視覚的により瞬時に認識しやすくなるという効果がある。
【００８２】
[変形例３]
第１実施形態では、ユーザ操作に基づいて変更された撮影検査情報の並び順に基づいて、撮影対象となる撮影検査情報に関連する放射線検出器又は放射線発生部の少なくとも一方を制御する例を説明した。
【００８３】
変形例３では、放射線検出器や放射線発生部の制御内容の他の例について説明する。
【００８４】
例えば、撮影検査情報の並び順の変更に応じて、これまで制御対象であった放射線検出器を省電力状態としてもよい。具体的には、一人の患者に対して複数のセンサ（サイズの大きな第１のセンサ（例えば、胸部の撮影用）、サイズの小さな第２のセンサ（例えば、手や腕の撮影用））を使用して撮影を行うために複数の撮影検査情報が並んでいた場合、第１のセンサに対応する撮影検査情報を１番目から２番目に変更した場合、第２のセンサでの撮影を次に行うと判定して制御を行うとともに、第１のセンサを省電力状態としてもよい。
【００８５】
ここで、放射線検出器の電力供給状態は、例えば通信回路とＭＰＵのみ起動すする省電力状態、これらに加えてセンサおよび駆動回路電源をＯＮにするＲｅａｄｙ状態、さらに読み出し回路をＯＮにする読み出し状態など複数の状態を取りうるものとする。
【００８６】
また、撮影検査情報の並び順の変更に応じて、センサを起動してもよい。具体的には、３つの撮影検査情報が順番に並んでいて、Ｒｅａｄｙプロトコルがない状態で、２番目の撮影検査情報を先頭に変更した場合、撮影が開始されると判定して、放射線検出器のセンサを起動してもよい。
【００８７】
（第２実施形態）
第１実施形態では、撮影制御画面において、ユーザのドラッグアンドドロップ操作によって表示順序を変更し、表示順序の変更に応じて先頭の撮影順序の撮影検査情報が使用できるように自動的に設定する例を説明した。
【００８８】
これに対して、第２実施形態では、撮影前に予め設定した並び替えの優先順位に従って、表示順序の変更を自動で行う例を説明する。一般に検査オーダーに入力された撮影検査情報の数が多い場合、その中から所望の撮影検査情報を探す必要があり、検査技師による手動の表示順序の変更に時間を要することもある。また、検査に使用するモニタの解像度によっては、撮影制御画面上に表示される撮影検査情報の数が少なくなり、所望の撮影検査情報を探すのに時間がかかることもある。第２実施形態では、所望の撮影検査情報を探すのに要していた時間を低減し、より撮影効率を向上させる例を説明する。
【００８９】
なお、本実施形態に係る放射線撮影システム、制御装置等の構成は、第１実施形態と同様であるため、説明を省略する。
【００９０】
図９は、本実施形態に係る制御装置１１０が予め設定された優先順位項目に応じて撮影検査情報の表示順序を自動で変更する処理の手順を示すフローチャートである。
【００９１】
ステップＳ９０１において、制御部２１６は、表示順序を変更するための複数の優先順位項目から１以上の優先順位項目をユーザ操作に基づいて選択する。優先順位項目は撮影検査情報の各項目であり、例えば、撮影に使用するセンサ（放射線検出器１１５Ａ、１１５Ｂ）や放射線発生部（放射線発生部１１４Ａ、１１４Ｂ）、撮影体位（立位、臥位）、撮影部位（胸部、腹部）、撮影方向（正面、側面）等であり、これらの項目は一つないし複数選択されてもよい。例えば、図１０に示すように、撮影室１に対する優先順位項目として、１．撮影する体位が「立位」、２．撮影方向「正面」を選択してもよい。また撮影技師Ａは、優先順位項目として、１．撮影する体位が「立位」、２．撮影部位「腹部」を選択してもよい。図１０の並び順変更前の検査オーダーには、検査オーダー１００１乃至１００６が並んでおり、以下ではこの並び順を優先順位項目に従って変更する。なお、ユーザ操作に基づいて選択するのではなく、予め設定しておき、以降は設定されたものを使用してもよい。
【００９２】
ステップＳ９０２において、撮影を開始する。ステップＳ９０３において、制御部２１６は、選択された全ての優先順位項目で表示順序を変更したか否かを判定する。全ての優先順位項目について表示順序の変更を行ったと判定された場合（Ｓ９０２；Ｙｅｓ）、処理を終了する。一方、まだ全ての優先順位項目について表示順序の変更を行っていないと判定された場合（Ｓ９０２；Ｎｏ）、ステップＳ９０４へ進む。
【００９３】
ステップＳ９０４において、表示制御部２１５は、優先順位が最も高い優先順位項目で表示順序を並び替える。撮影室１の例では「１．撮影する体位が立位」、「２．撮影方向が正面」を選択しているので、まずは「１．立位」を基準に表示順序を並び替える。また、撮影技師Ａの例では「１．撮影する体位が立位」、「２．撮影部位が腹部」を選択しているので、まずは「１．立位」を基準に表示順序を並び替える。
【００９４】
次に、ステップＳ９０５において、表示制御部２１５は、一つ優先順位が下の優先順位項目を最も高い優先順位に設定する。撮影室１の例では「２．撮影方向が正面」を最も高い優先順位に設定する。また、撮影技師Ａの例では「２．撮影部位が腹部」を最も高い優先順位に設定する。その後、ステップＳ９０３に戻る。このように、選択された全ての優先順位項目について表示順序を変更するまで処理を継続し、一連の処理を終了する。なお、撮影検査情報の並び替えの際、選択された優先順位項目に該当しない撮影検査情報については任意の表示順序で表示を行ってもよいし、元の順番に従って表示させてもよい。
【００９５】
結果として、図１０に示すように、撮影室１の例では、撮影順序が検査オーダー１００１、１００４、１００３、１００６、１００２、１００５の順に自動的に並び替えられることになる。また、撮影技師Ａの例では、撮影順序が検査オーダー１００１、１００３、１００６、１００４、１００２、１００５の順に自動的に並び替えられることになる。
【００９６】
この並び順の変更の後、第１実施形態で説明したように、先頭の撮影順序の撮影検査情報に対応した放射線検出器、放射線発生部が制御されて撮影準備が自動的に行われることになる。
【００９７】
以上説明したように、本実施形態では、ユーザが選択した撮影のための優先順位項目に基づいて撮影検査情報を自動的に並び替える。これにより、所望の撮影検査情報を探すのに要していた時間を低減し、より撮影効率を向上させることが可能となる。
【００９８】
（第３実施形態）
第３実施形態では、過去に実施した検査オーダーと現在の検査オーダーとを比較して表示順序の変更を自動で行う例を説明する。なお、本実施形態に係る放射線撮影システム、制御装置等の構成は、第１実施形態と同様であるため、説明を省略する。
【００９９】
図１１は、本実施形態に係る制御装置１１０が過去の検査オーダーに基づいて撮影検査情報の表示順序を自動で変更する処理の手順を示すフローチャートである。図９と同様の処理については同符号を付し、説明を省略する。
【０１００】
ステップＳ１１０１において、制御部２１６は、予め設定されている複数の検索フィルタ項目から１以上の検索フィルタ項目をユーザ操作に基づいて選択する。検索フィルタ項目は、例えば、期間、検査技師、被検者等であり、これらの項目は一つないし複数選択してもよいし、あるいは選択しなくてもよい。その後、ステップＳ９０１へ進む。
【０１０１】
ステップＳ９０２の処理の後、ステップＳ１１０２において、制御部２１６は、過去に実施した検査から、選択された検索フィルタ項目に応じた検査オーダーを取得する。
【０１０２】
ステップＳ１１０３において、制御部２１６は、取得された過去の検査オーダーの中に、現在の検査オーダーと同一の検査オーダーが存在するか否か判定する。同一の検査オーダーが存在すると判定された場合（Ｓ１１０３；Ｙｅｓ）、ステップＳ１１０４へ進む。一方、同一の検査オーダーが存在しないと判定された場合（Ｓ１１０３；Ｎｏ）、ステップＳ１１０５へ進む。
【０１０３】
ステップＳ１１０４において、制御部２１６は、現在の検査オーダーに対して過去の検査オーダーの表示順序と同じ表示順序に表示順番号を設定して、処理を終了する。
【０１０４】
ステップＳ１１０５において、制御部２１６は、現在の検査オーダーが過去の検査オーダーの何れかの部分集合となるか否かを判定する。現在の検査オーダーが過去の検査オーダーの何れかの部分集合となると判定された場合（Ｓ１１０５；Ｙｅｓ）、ステップＳ１１０６へ進む。一方、現在の検査オーダーが過去の検査オーダーの何れかの部分集合とならないと判定された場合（Ｓ１１０５；Ｎｏ）、ステップＳ１１０７へ進む。
【０１０５】
ステップＳ１１０６において、制御部２１６は、該当する過去の検査オーダーと同一の撮影検査情報が同一の表示順序となるように、現在の検査オーダーに対して表示順番号を設定する。
【０１０６】
ステップＳ１１０７において、制御部２１６は、過去の検査オーダーの何れかが、現在の検査オーダーの部分集合となるか否かを判定する。過去の検査オーダーの何れかが現在の検査オーダーの部分集合となると判定された場合（Ｓ１１０７；Ｙｅｓ）、ステップＳ１１０９へ進む。一方、過去の検査オーダーの何れも現在の検査オーダーの部分集合とならないと判定された場合（Ｓ１１０７；Ｎｏ）、ステップＳ１１０８へ進む。
【０１０７】
ステップＳ１１０８において、制御部２１６は、過去の検査オーダーと同一の撮影検査情報が２つ以上存在するか否かを判定する。同一の撮影検査情報が２つ以上存在すると判定された場合（Ｓ１１０８；Ｙｅｓ）、ステップＳ１００９へ進む。一方、同一の撮影検査情報が２つ以上存在しないと判定された場合（Ｓ１１０８；Ｙｅｓ）、ステップＳ９０３へ進み、以降の処理を行う。
【０１０８】
ステップＳ１１０９において、制御部２１６は、過去の検査オーダーと同一の撮影検査情報のみ同じ表示順序となるように、現在の検査オーダーに対して表示順番号を設定する。ステップＳ１１１０において、制御部２１６は、過去の検査オーダーに無い撮影検査情報については、予め設定した優先順位項目に従って表示順番号を設定して、処理を終了する。
【０１０９】
以上説明したように、本実施形態では、撮影前に予め設定した並び替えの優先順位項目、及び／又は、現在の検査オーダーと同一または類似する過去の検査オーダーとの比較に従って、現在の検査オーダーにおける撮影検査情報の表示順序の変更を自動で行う。これにより、過去の検査オーダーを反映させることができるため、より意図に合致した撮影を行うことが可能になり、撮影効率をさらに向上させることができる。
【０１１０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015084938.tif 000003
【図２】
2015084938.tif 000004
【図３Ａ】
2015084938.tif 000005
【図３Ｂ】
2015084938.tif 000006
【図４】
2015084938.tif 000007
【図５】
2015084938.tif 000008
【図６】
2015084938.tif 000009
【図７】
2015084938.tif 000010
【図８】
2015084938.tif 000011
【図９】
2015084938.tif 000012
【図１０】
2015084938.tif 000013
【図１１】
2015084938.tif 000014